(57)【特許請求の範囲】
【請求項１】
左右方向を長手方向とする調理台と、調理台の左右方向にずれた複数の領域をそれぞれ照らす各領域毎の照明手段と、調理台の前記各照明手段が照らす領域の前方に位置する人体をそれぞれ検知するように前記各照明手段に対応して設けられる人体検知センサと、一人体検知センサで人体を検知した時に該人体検知センサに対応する照明手段を点灯する制御部と、を備え、前記照明手段は、一つの導光部材とこの導光部材の両端部に設けられた光源とを備え、前記導光部材は、長手方向の端面がそれぞれ入射面となると共に、四側面のうちの一面が出射面となり、出射面と対向する背面に光を散乱させる導光パターンが形成されるものであり、前記入射面の一方に設けられた前記光源が前記調理台の左右方向にずれた領域の一方の前記照明手段の前記光源となるとともに、前記入射面の他方に設けられた前記光源が前記調理台の左右方向にずれた領域の他方の前記照明手段の前記光源となることを特徴とする照明付厨房装置。
【請求項２】
隣接する両領域に対応するそれぞれの人体検知センサが人体を検知する検知領域が重複部分を有し、前記検知領域の重複部分に位置する人体がそれぞれの人体検知センサに検知された時には該人体検知センサに対応する照明手段をそれぞれ点灯することを特徴とする請求項１記載の照明付厨房装置。
【発明の詳細な説明】
【技術分野】
【０００１】
本発明は、照明手段を備えた厨房装置に関するものである。
【背景技術】
【０００２】
従来から、シンク及びコンロを有するカウンターと、照明手段と、を備えた厨房装置が利用されている（例えば特許文献１参照）。
【０００３】
カウンターは、左右方向の一側部にシンクが設置され、他側部にコンロが設置されており、カウンターの全面を照らす照明手段が設けられており、調理を行う時には照明手段を点灯してカウンターを照らし、調理を行わない時には照明手段を消灯する。
【０００４】
しかしながら、上記従来例にあっては、照明手段でカウンター全面を照らすか消灯するかのいずれかであるため、使用者がシンクのみあるいはコンロのみを使用しようとする時でもカウンター全面を照らすこととなり、照らす必要がない部分まで照らして電力が無駄になるという問題があった。
【先行技術文献】
【特許文献】
【０００５】
【特許文献１】特開２００７−０００３０８号公報
【発明の概要】
【発明が解決しようとする課題】
【０００６】
本発明は上記従来の問題点に鑑みてなされたものであって、その目的とするところは、カウンターを照らす場合に照明手段でカウンター全面を照らして電力が無駄になってしまうのを防止する照明付厨房装置を提供する。
【課題を解決するための手段】
【０００７】
本発明の照明付厨房装置は、左右方向を長手方向とする調理台２と、調理台２の左右方向にずれた複数の領域３１をそれぞれ照らす各領域３１毎の照明手段６と、調理台２の前記各照明手段が照らす領域３１の前方に位置する人体８をそれぞれ検知するように前記各照明手段６に対応して設けられる人体検知センサ７と、一人体検知センサ７で人体８を検知した時に該人体検知センサ７に対応する照明手段６を点灯する制御部と、を備え、前記照明手段６は、一つの導光部材６１とこの導光部材６１の両端部に設けられた光源６４とを備え、前記導光部材６１は、長手方向の端面がそれぞれ入射面６２となると共に、四側面のうちの一面が出射面６３となり、出射面６３と対向する背面に光を散乱させる導光パターンが形成されるものであり、前記入射面６２の一方に設けられた前記光源６４が前記調理台２の左右方向にずれた領域の一方の前記照明手段６の前記光源６４となるとともに、前記入射面６２の他方に設けられた前記光源６４が前記調理台２の左右方向にずれた領域の他方の前記照明手段６の前記光源６４となることを特徴とする。
【０００８】
この構成によれば、照明手段６が照らす各領域３１毎に対応する人体検知センサ７と照明手段６がそれぞれ設けられているため、人体が検知されて照明が必要な領域のみ照明手段６で照らすことができる。
【０００９】
また本発明は、隣接する両領域３１に対応するそれぞれの人体検知センサ７ａ、７ｂが人体８を検知する検知領域７１ａ、７１ｂが重複部分７１ｃを有し、前記検知領域７１ａ、７１ｂの重複部分７１ｃに位置する人体８がそれぞれの人体検知センサ７に検知された時には該人体検知センサ７ａ、７ｂに対応する照明手段６ａ、６ｂをそれぞれ点灯することが好ましい。
【００１０】
この構成によれば、検知領域７１ａ、７１ｂの重複部分７１ｃに人体が位置する場合にカウンター３の両領域３１ａ、３１ｂを照らすことができ、陰になる部分を小さく又はなくすことができる。
【発明の効果】
【００１１】
本発明の照明付厨房装置は、照明が必要でない領域まで点灯することにより生じる電力の無駄をなくすことができる。
【図面の簡単な説明】
【００１２】
【図１】本発明の照明付厨房装置の一実施形態の斜視図である。
【図２】同上の実施形態の正面図である。
【図３】同上の実施形態を示し、（ａ）はコンロ領域の人体検知センサが人体を検知している場合の正面図であり、（ｂ）はシンク領域の人体検知センサが人体を検知している場合の正面図である。
【図４】他の実施形態を示し、（ａ）はコンロ領域の人体検知センサが人体を検知している場合の正面図であり、（ｂ）はシンク領域の人体検知センサが人体を検知している場合の正面図である。
【発明を実施するための形態】
【００１３】
以下、本発明を添付図面に示す実施形態に基いて説明する。
【００１４】
本発明における照明付厨房装置１は、図１及び図２に示すように、コンロ４、シンク５を備えた調理台２により主体が構成してある。調理台２は、調理台キャビネット２１と、調理台キャビネット２１の上面部に設置されるカウンター３とを備えている。
【００１５】
カウンター３は左右方向を長手方向とし、キッチンとダイニングとを仕切っている。調理台２の奥側（ダイニング側）に仕切りとして機能する立ち上がり部２２が立設される。カウンター３には一側部にシンク５が設けられ、他側部にコンロ４が設けられる。
【００１６】
カウンター３には、左右方向に分割される複数の領域３１が設定される。本実施形態では、シンク５が設けられるシンク領域３１ａと、コンロ４が設けられるコンロ領域３１ｂと、に分割されて設定される。
【００１７】
カウンター３には、各領域３１を照らす各領域３１毎の照明手段６が設けられる。本実施形態では、照明手段６は、シンク領域３１ａを照らすシンク領域３１ａの照明手段６ａと、コンロ領域３１ｂを照らすコンロ領域３１ｂの照明手段６ｂと、で構成される。シンク領域３１ａの照明手段６ａは、立ち上がり部２２のシンク領域３１ａに対応する部分に設けられ、コンロ領域３１ｂの照明手段６ｂは、立ち上がり部２２のコンロ領域３１ｂに対応する部分に設けられる。照明手段６の発光源としてはＬＥＤが好適に用いられるが、白熱灯や蛍光灯でもよい。
【００１８】
また、照明付厨房装置には、カウンター３の各領域３１に対応する部分の前方に位置する人体８をそれぞれ検知する各領域３１毎の人体検知センサ７が設けられる。本実施形態では、シンク領域３１ａの前方のシンク検知領域７１ａに位置する人体８を検知するシンク領域３１ａの人体検知センサ７ａと、コンロ領域３１ｂの前方のコンロ検知領域７１ｂに位置する人体８を検知するコンロ領域３１ｂの人体検知センサ７ｂと、で構成される。
【００１９】
いずれかの領域３１の人体検知センサ７で人体８を検知して該検知信号がマイクロコンピュータからなる制御部に入力されると、該領域３１に対応する照明手段６が該領域３１を照らし、人体検知センサ７が人体８を検知していない領域３１の照明手段６は消灯するように制御部に制御される。図３（ａ）に示すように、シンク領域３１ａの人体検知センサ７ａが人体８を検知してコンロ領域３１ｂの人体検知センサ７ｂが人体８を検知していない時には、シンク領域３１ａの照明手段６ａが点灯すると共にコンロ領域３１ｂの照明手段６ｂが消灯し、図３（ｂ）に示すように、コンロ領域３１ｂの人体検知センサ７ｂが人体８を検知してシンク領域３１ａの人体検知センサ７ａが人体８を検知していない時には、コンロ領域３１ｂの照明手段６ｂが点灯すると共にシンク領域３１ａの照明手段６ａが消灯する。なお、図３中の実線がのびている人体検知センサ７は人体８が検知されていることを示し、破線がのびている人体検知センサ７は人体８が検知されていないことを示し、また、図３中の実線がのびている照明手段６は点灯していることを示し、破線がのびている照明手段６は消灯していることを示す。
【００２０】
ここで点灯とは、作業するのに必要な所定の照度で照らすことをいい、後述する「弱点灯」に対して「通常点灯」というものとする。
【００２１】
また、人体検知センサ７が人体８を検知していない領域３１の照明手段６は、消灯ではなく通常点灯よりも暗い照度で点灯する弱点灯を行ってもよい。この場合、シンク領域３１ａの人体検知センサ７ａが人体８を検知してコンロ領域３１ｂの人体検知センサ７ｂが人体８を検知していない時には、シンク領域３１ａの照明手段６ａが点灯すると共にコンロ領域３１ｂの照明手段６ｂが弱点灯し、コンロ領域３１ｂの人体検知センサ７ｂが人体８を検知してシンク領域３１ａの人体検知センサ７ａが人体８を検知していない時には、コンロ領域３１ｂの照明手段６ｂが点灯すると共にシンク領域３１ａの照明手段６ａが弱点灯する。また、いずれの領域３１の人体検知センサ７も人体８を検知していない時には、いずれの照明手段６も消灯する。
【００２２】
上述した照明付厨房装置１においては、分割された各領域３１に対応する人体検知センサ７と照明手段６が設けられているため、人体８が検知されて照明が必要な領域３１のみ照明手段６で照らすことができて、人体８が検知されておらず照明が不要な領域３１を消灯したり弱点灯したりすることができ、照明が不要な領域３１まで点灯することにより生じる電力の無駄をなくすことができる。
【００２３】
また、人体検知センサ７が照明手段６を作動させるスイッチとして機能することで、押し操作するスイッチのように使用者が指で操作する必要がなく手間が省けると共に、手を洗ってからスイッチを押さなければならないというような面倒なこともない。このため、使用者の移動に伴って自動で照明手段６の点灯、消灯、弱点灯が行われ、使用者が自ら逐一スイッチの切り替えを行う必要がない。
【００２４】
また、本実施形態では領域３１がシンク領域３１ａとコンロ領域３１ｂの二領域３１であるが、三以上の領域３１に分割してもよい。このように三以上の領域３１に分割することで、各領域３１を狭くして各照明手段６を消費電力の小さいものとすることができて、消費電力をより一層抑えることができる。
【００２５】
また、隣接する両領域３１に対応する両人体検知センサ７が人体８を検知する領域７１が重複し、該重複した領域７１（重複領域７１ｃという）に人体８が検知された時には両領域７１に対応する両照明手段６を点灯するように制御してもよい。本実施形態では、シンク領域３１ａとコンロ領域３１ｂの互いに隣接する調理面部の前方の領域７１が、シンク領域３１ａの人体検知センサ７ａとコンロ領域３１ｂの人体検知センサ７ｂの両方が重複して検知する重複領域７１ｃとなっている。この重複領域７１ｃに人体８が位置すると両方の人体検知センサ７ａ、７ｂが人体８を検知し、シンク領域３１ａの照明手段６ａとコンロ領域３１ｂの照明手段６ｂの両方の照明手段６が点灯（通常点灯）するため、シンク領域３１ａとコンロ領域３１ｂの両方を同時に照らすことができて、手元に陰がなく明るい状態で作業することができる。
【００２６】
他の実施形態について図４に基づいて説明する。本実施形態の照明手段６は、一面が光の入射面６２となると共に入射面６２とは別の面が出射面６３となる導光部材６１と、入射面６２に入射させる光を照射する光源６４と、を備えている。
【００２７】
導光部材６１は、略角棒状をしており、長手方向の端面がそれぞれ入射面６２となると共に、四側面のうちの一面が出射面６３となるもので、カウンター３の立ち上がり部２２に出射面６３が前方（使用者から見て手前側）を向くように且つ左右方向が長手方向となるように設置される。導光部材６１の出射面６３と対向する背面には、光を散乱させる導光パターン（図示せず）が形成され、入射面６２から入射した光は側面で反射しながら入射した側と反対側へ進行し、導光パターンで散乱されて出射面６３から出射される。
【００２８】
光源６４は、左側の端部の光源６４ａがシンク領域３１ａの照明手段６ａの光源６４となり、右側の端部の光源６４ｂがコンロ領域３１ｂの照明手段６ｂの光源６４となる。
【００２９】
この照明手段６は、一方の光源６４が発光すると、入射面６２から入射された光が該入射面６２と反対側の端部に向けて側面で反射しながら進行するが、導光パターンに当たった光は散乱されて出射面６３から出射される。従って、光は減衰しながら入射面６２と反対側の端部に向かって進行し、出射面６３から出射する光も入射面６２に近い程照度（単位面積当たりの光量）が高く、該入射面６２と反対側の端部に行く程照度が低い。
【００３０】
図４（ａ）に示すように、左側のシンク領域３１ａの照明手段６ａの光源６４ａが発光すると、出射面６３の左側へ行く程照度が高く右側へ行く程照度が低く、シンク領域３１ａは通常点灯がなされコンロ領域３１ｂは弱点灯がなされる。
【００３１】
図４（ｂ）に示すように、右側のコンロ領域３１ｂの照明手段６ｂの光源６４ｂが発光すると、出射面６３の右側へ行く程照度が高く左側へ行く程照度が低く、コンロ領域３１ｂは通常点灯がなされシンク領域３１ａは弱点灯がなされる。
【００３２】
本実施形態では、一つの照明手段６で複数の領域３１を同時にそれぞれ点灯し且つ弱点灯することが可能となる。
【符号の説明】
【００３３】
１    照明付厨房装置
３    カウンター
３１  領域
３１ａ  シンク領域
３１ｂ  コンロ領域
４    コンロ
５    シンク
６    照明手段
６ａ  シンク領域の照明手段
６ｂ  コンロ領域の照明手段
７    人体検知センサ
７ａ  シンク領域の人体検知センサ
７ｂ  コンロ領域の人体検知センサ
７１  人体検知センサの検知領域
【図１】
0005507941.tif 000002
【図２】
0005507941.tif 000003
【図３】
0005507941.tif 000004
【図４】
0005507941.tif 000005